(57)【要約】【課題】部品点数の削減、工数の低減が可能な光ディスク装置を提供する。【解決手段】光ピックアップ２と、ターンテーブル５を有するスピンドルモータ４と、光ピックアップ２の移動を案内する２つの案内部材と、その案内部材に沿って光ピックアップ２を移動する移動手段１１，１６と、スピンドルモータ４などを支持するシャーシ３を備え、案内部材の少なくとも１つが光ピックアップ２の移動方向に延びたシャーシ３の側端縁２２で構成され、水平方向に突出してシャーシ３の側端縁２２上を摺動する載置部２３と、載置部側に向けて突出した弾性片２８を有する押圧部材２４とで構成された略Ｕ字状の軸受け部１０ｃを光ピックアップ側に設け、略Ｕ字状軸受け部１０ｃ内にシャーシ３の側端縁２２が挿入されている。【選択図】　　　　図６
2004022054.tif 000002
【特許請求の範囲】
【請求項１】
円盤状記録媒体より光学的に信号を読み出す光ピックアップと、
前記円盤状記録媒体を装着し一体となって回転動作を行うターンテーブルを有するスピンドルモータと、
前記円盤状記録媒体のトラックに対して略直交する方向に前記光ピックアップの移動を案内する２つの案内部材と、
その案内部材に沿って前記光ピックアップを移動する移動手段と、
前記スピンドルモータや移動手段を支持するシャーシとを備えた光ディスク装置において、
前記案内部材の少なくとも１つが光ピックアップの移動方向に延びたシャーシの側端縁で構成され、　水平方向に突出してシャーシの前記側端縁上を摺動する載置部と、その載置部側に向けて突出した弾性片を有する押圧部材とで構成された略Ｕ字状の軸受け部を前記光ピックアップ側に設け、
その略Ｕ字状軸受け部内に前記シャーシの側端縁が挿入され、前記載置部と弾性片によりシャーシの側端縁が弾性的にかつ移動可能に挟持されていることを特徴とする光ディスク装置。
【請求項２】
請求項１記載の光ディスク装置において、前記シャーシの側端縁近傍に、前記略Ｕ字状軸受け部の移動方向に延びた補強リブが設けられていることを特徴とする光ディスク装置。
【請求項３】
請求項１記載の光ディスク装置において、前記弾性片のシャーシと接する先端部分に丸みが付けられていることを特徴とする光ディスク装置。
【請求項４】
円盤状記録媒体より光学的に信号を読み出す光ピックアップと、
前記円盤状記録媒体を装着し一体となって回転動作を行うターンテーブルを有するスピンドルモータと、
前記円盤状記録媒体のトラックに対して略直交する方向に前記光ピックアップの移動を案内する２つの案内部材と、
前記光ピックアップに連結されて光ピックアップの移動方向に移動するラックと、
そのラックを駆動するギアと、
前記スピンドルモータやギアを支持するシャーシとを備えた光ディスク装置において、
前記案内部材の１つが光ピックアップの移動方向に延びたシャーシの側端縁で構成され、
水平方向に突出してシャーシの前記側端縁上を摺動する載置部と、その載置部側に向けて突出した弾性片を有する押圧部材とで構成された略Ｕ字状の軸受け部を前記光ピックアップ側に設け、
その略Ｕ字状軸受け部内に前記シャーシの側端縁が挿入され、前記載置部と弾性片によりシャーシの側端縁が弾性的にかつ移動可能に挟持され、
前記案内部材の他の１つが光ピックアップの移動方向に延びたシャフト状の案内部材であって、
前記光ピックアップ側に設けられた円筒状の軸受け部に前記シャフト状の案内部材が挿通され、
前記ラックに弾性腕を一体に成形し、その弾性腕を前記光ピックアップの一部に弾接することにより、そのラックに前記シャフト状案内部材を中心として前記ギア側に向けて回動力を付与したことを特徴とする光ディスク装置。
【請求項５】
請求項４記載の光ディスク装置において、前記弾性腕は、その弾性腕の変形量を規制するフレームで囲まれていることを特徴とする光ディスク装置。
【発明の詳細な説明】
【０００１】
【発明の属する技術分野】
本発明は、円盤状記録媒体より光学的に信号を読み出す光ピックアップを搭載した光ディスク装置に係り、特に光ピックアップ送り機構の幅狭化に関するものである。
【０００２】
【従来の技術】
現在、広く普及しているコンパクトディスク（ＣＤ）やデジタルバーサタイル・ディスク（ＤＶＤ）といった円盤状記録媒体（以下、ディスクと呼ぶ）に関して、光学的にこのディスクを再生するための光ピックアップを備えた光ディスク装置が種々研究、開発されている。これらの光ディスク装置は、情報の再生を行うために光ピックアップを指定した位置まで安定にかつ正確に移動させる必要がある。
【０００３】
光ピックアップの送り機構において、ラックとギアを用いて送り動作をするものがある。図８は従来のこの種の送り機構を説明するための図である。
【０００４】
同図において２は光学系などを備えた光ピックアップ、３はシャーシ、５はスピンドルモータ（図示せず）の回転軸に固定されたターンテーブル、６はスピンドルモータ（図示せず）を搭載したモータベース、７は光ピックアップ２の移動を案内するシャフト状の第１案内部材、８は光ピックアップ２を移動させるための送りモータ、１１はラック、１６はラック１１と噛合するギア、１９は第１案内部材７と平行になるようにシャーシ３に取り付けられた光ピックアップ２の移動を案内する板状の第２案内部材、２０は第２案内部材１９をシャーシ３に固定するための複数のネジである。
【０００５】
ディスク（図示せず）は、ターンテーブル５上に取り付けられ、ディスククランパ（図示せず）によってターンテーブル５に密着されて、ターンテーブル５と一体となって高速回転する。光ピックアップ２は、レーザー光線を出射してディスクの面にある螺旋状のトラックより記録情報（ビット情報）を反射光から読み取り、信号としてデジタル回路へ送る。
【０００６】
シャーシ３には矢印で示す光ピックアップ２の往復移動を許容するための大きな開口２１が形成され、光ピックアップ２はその開口２１内に配置されている。光ピックアップ２の一方の端部はラック１１と共に第１案内部材７に摺動可能に支持され、光ピックアップ２の他方の端部は第２案内部材１９に摺動可能に支持されている。ラック１１は送りモータ８からギア１６を介して駆動され、それによって光ピックアップ２が所定の位置に送られる。
【０００７】
このようにラック１１とギア１６で光ピックアップ２の送り動作をするものにおいては、ラック１１とギア１６間にバックラッシがあると、ラック１１により送られる光ピックアップ２の位置がバックラッシ相当分定まらず、安定した送り動作ができない。
【０００８】
そこでバックラッシを無くすために従来は図示していないが、２つのラックを重ね、この重ねたラックを、内蔵したバネ力によりスライドさせて、ギアの歯面を両脇から挟み込む構成にしてバックラッシを無くす構造、または、ラックと光ピックアップの重なり合い部分にバネを介在し、そのバネでラックを案内部材に対して回動させる構成にして、ラックとギアの間隔を狭めてバックラッシを無くす構造が採用されている。
【０００９】
【発明が解決しようとする課題】
近年、光ディスク装置は小型化、薄型化、低価格化の要求がさらに強くなっている。ところで従来の光ディスク装置は、図８に示すように板状の第２案内部材１９を開口２１側に突出するようにシャーシ３に取付け、光ピックアップ２の他方の端部をこの第２案内部材１９の開口２１側に突出した端部に摺動可能に支持した構造になっている。
【００１０】
そのためシャーシ３上における板状第２案内部材１９の取付けスペースや、開口２１内における第２案内部材１９の突出スペースなどが必要で、そのためにシャーシ３の全体的な幅寸法Ｌ１が必然的に長くなり、装置の幅狭化（小型化）の支障となる。また、第２案内部材１９やそれを固定するための複数のネジ２０が必要で、部品点数ならびに第２案内部材１９を固定するための工数などが増え、組立作業が煩雑で、コスト高を招くなどの欠点を有している。
【００１１】
さらに従来のようにバックラッシを無くすためにバネを介在する構造だと、狭いスペースにバネを組み込むため、作業性が悪く、製造コストが上がり、またバネ部品にコストがかかる。さらに光ディスク装置の薄型化に伴いバネを介在するスペースが狭くなり、そのためにバネのターン数が減り、十分なバネ力が得られず、バックラッシを無くすことが難しくなるなどの欠点を有している。
【００１２】
本発明の目的は、このような従来技術の欠点を解消し、装置の幅狭化（小型化）、部品点数の削減ならびに工数の低減が可能な光ディスク装置を提供することにある。
【００１３】
【課題を解決するための手段】
上記目的を達成するために、本発明の第１の手段は、円盤状記録媒体より光学的に信号を読み出す光ピックアップと、前記円盤状記録媒体を装着し一体となって回転動作を行うターンテーブルを有するスピンドルモータと、前記円盤状記録媒体のトラックに対して略直交する方向に前記光ピックアップの移動を案内する２つの案内部材と、その案内部材に沿って前記光ピックアップを移動する移動手段と、前記スピンドルモータや移動手段を支持するシャーシとを備えた光ディスク装置を対象とするものである。
【００１４】
そして前記案内部材の少なくとも１つが光ピックアップの移動方向に延びたシャーシの側端縁で構成され、水平方向に突出してシャーシの前記側端縁上を摺動する載置部と、その載置部側に向けて突出した弾性片を有する押圧部材とで構成された略Ｕ字状の軸受け部を前記光ピックアップ側に設け、その略Ｕ字状軸受け部内に前記シャーシの側端縁が挿入され、前記載置部と弾性片によりシャーシの側端縁が弾性的にかつ移動可能に挟持されていることを特徴とするものである。
【００１５】
本発明の第２の手段は前記第１の手段において、前記シャーシの側端縁近傍に、前記略Ｕ字状軸受け部の移動方向に延びた補強リブが設けられていることを特徴とするものである。
【００１６】
本発明の第３の手段は前記第１の手段において、前記弾性片のシャーシと接する先端部分に丸みが付けられていることを特徴とするものである。
【００１７】
本発明の第４の手段は、円盤状記録媒体より光学的に信号を読み出す光ピックアップと、前記円盤状記録媒体を装着し一体となって回転動作を行うターンテーブルを有するスピンドルモータと、前記円盤状記録媒体のトラックに対して略直交する方向に前記光ピックアップの移動を案内する２つの案内部材と、前記光ピックアップに連結されて光ピックアップの移動方向に移動するラックと、そのラックを駆動するギアと、前記スピンドルモータやギアを支持するシャーシとを備えた光ディスク装置を対象とするものである。
【００１８】
そして前記案内部材の１つが光ピックアップの移動方向に延びたシャーシの側端縁で構成され、水平方向に突出してシャーシの前記側端縁上を摺動する載置部と、その載置部側に向けて突出した弾性片を有する押圧部材とで構成された略Ｕ字状の軸受け部を前記光ピックアップ側に設け、その略Ｕ字状軸受け部内に前記シャーシの側端縁が挿入され、前記載置部と弾性片によりシャーシの側端縁が弾性的にかつ移動可能に挟持され、前記案内部材の他の１つが光ピックアップの移動方向に延びたシャフト状の案内部材であって、前記光ピックアップ側に設けられた円筒状の軸受け部に前記シャフト状の案内部材が挿通され、前記ラックに弾性腕を一体に成形し、その弾性腕を前記光ピックアップの一部に弾接することにより、そのラックに前記シャフト状案内部材を中心として前記ギア側に向けて回動力を付与したことを特徴とするものである。
【００１９】
本発明の第５の手段は前記第４の手段において、前記弾性腕は、その弾性腕の変形量を規制するフレームで囲まれていることを特徴とするものである。
【００２０】
本発明においては、シャーシの側端縁を案内部材として利用しているから、従来のように板状の案内部材、ならびにその案内部材をシャーシに取り付けるための複数のネジなどが不要となるから、シャーシ上での板状案内部材の設置スペース、ならびに板状案内部材が開口側に突出する突出スペースなどが不要となり、従ってシャーシ（光ディスク装置）の幅狭化（小型化）が可能となる。
【００２１】
また、シャーシの側端縁は略Ｕ字状軸受け部の載置部と弾性片の間で弾性的に挟持されているから、光ピックアップを高速移動させてもがたつきなく、かつ水平に移動させることができる。さらに板状案内部材ならびに複数のネジなどが不要となるから、部品点数の削減、工数の低減、コストの低減を図ることができる。
【００２２】
さらに本発明においては、光ピックアップを移動させるラックに弾性腕を一体に形成し、その弾性腕で光ピックアップを押すことにより、その反力でラックにギア側へ付勢する回動力を発生させる。このことによりラックとギアのバックラッシを別部材のバネを用いずに無くすことができ、装置の薄形化、部品点数の削減、工数の低減、コストの低減を図ることができる。
【００２３】
【発明の実施の形態】
以下、本発明の光ディスク装置の実形態を図により説明する。図１は実施形態に係る光ディスク装置の斜視図、図２はその光ディスク装置を裏面より見た光ピックアップの送り機構の斜視図、図３はその送り機構に用いるラックの拡大斜視図、図４は光ピックアップとラックとギアの組み合わせ状態を示す側面図、図５は光ディスク装置の平面図、図６は光ピックアップに設けられた略Ｕ字状軸受け部を示す一部拡大側面図、図７はその略Ｕ字状軸受け部に用いる押圧部材の拡大斜視図である。
【００２４】
図１において光ディスク装置の概略を説明する。１はＣＤやＤＶＤなどのディスク、２は光学系などを備えた光ピックアップ、３はシャーシ、４はスピンドルモータ、５はスピンドルモータ４の回転軸に固定されたターンテーブル、６はスピンドルモータ４を搭載するモータベース、７は光ピックアップ２の移動を案内するシャフト状の第１案内部材、８は光ピックアップ２を移動させるための送りモータである。
【００２５】
図に示すようにスピンドルモータ４、シャフト状第１案内部材７、送りモータ８、後述のギア１６などがシャーシ３に取り付けられている。
【００２６】
ディスク１はターンテーブル５上に取り付けられ、図示しないディスククランパによってターンテーブル５に密着される。ディスク１は、スピンドルモータ４が回転することにより、ターンテーブル５と一体となって高速回転する。光ピックアップ２はディスク１の半径方向（図１に示す矢印方向）に移動可能であり、レーザー光線を出射してディスク１の面にある螺旋状のトラック９より記録情報（ビット情報）を反射光から読み取り、信号としてデジタル回路へ送る。スピンドルモータ４と送りモータ８は、それぞれ図示しない駆動回路に接続されている。
【００２７】
光ピックアップ２の送り機構とその動作について説明する。
シャーシ３には光ピックアップ２の往復移動を許容する開口２１が形成され、その開口２１内に光ピックアップ２が配置されている。
【００２８】
光ピックアップ２は、一方の端部に所定の間隔をおいて円筒状の軸受け部１０ａ、１０ｂを設け、それと対向する他方の端部に略Ｕ字状（略つの字状）の軸受け部１０ｃを設けている。シャーシ３に取り付ける第１案内部材７は、光ピックアップ２の円筒状軸受け部１０ａ、１０ｂに摺動可能に挿入されて送り方向を規制するガイド軸となる。
【００２９】
一方、光ピックアップ２の略Ｕ字状の軸受け部１０ｃは図６に示すように、光ピックアップ２の本体に一体に設けられて水平方向に突出した載置部２３と、光ピックアップ２の本体に取り付けられた押圧部材２４とから構成されている。押圧部材２４は例えばポリアセタール樹脂やポリアミド樹脂などの低摩擦係数と良好な弾性と耐磨耗性を有する合成樹脂の成形体からなり、図７に示すようにネジ孔２５ならびに位置決め孔２６を有する取付け部２７と、突起状の弾性片２８を有する水平部２９とを一体に形成したものである。
【００３０】
図６に示すように水平部２９が載置部２３と平行に対向するように押圧部材２４を光ピックアップ２上に載せ、光ピックアップ２に設けられている位置決め突起（図示せず）を押圧部材２４の位置決め孔２６に挿入して押圧部材２４の位置決めし、ネジ孔２５にネジ（図示せず）を螺着して押圧部材２４を光ピックアップ２上に固定して略Ｕ字状の軸受け部１０ｃを構成する。
【００３１】
この状態で押圧部材２４の弾性片２８は上方の載置部２３側に向けて突出しており、載置部２３と弾性片２８の隙間は、シャーシ３の開口２１側に臨む側端縁２２の厚さより若干狭く設計されている。従ってこの略Ｕ字状の軸受け部１０ｃをシャーシ３の側端縁２２に差し込むと、弾性片２８が若干下方に弾性変形し、側端縁２２が載置部２３と弾性片２８によって弾性的にかつ移動可能に挟持されて、シャーシ３が光ピックアップ２の第２案内部材として機能する。シャーシ３の側端縁２２は、シャフト状第１案内部材７と平行に光ピックアップ２の移動方向に延びている。
【００３２】
シャーシ３の側端縁２２に対する略Ｕ字状の軸受け部１０ｃの差し込みを容易にし、かつ軸受け部１０ｃの摩擦抵抗を減らすため、弾性片２８の先端部には丸みが付けてある。また図１ならびに図５に示すように、シャーシ３の側端縁２２の近傍でかつ略Ｕ字状軸受け部１０ｃの移動範囲の略全長にわたって補強リブ３０が付設されている。
【００３３】
前述のように光ピックアップ２の円筒状軸受け部１０ａ、１０ｂを第１案内部材７に挿通し、光ピックアップ２の略Ｕ字状軸受け部１０ｃをシャーシ３の側端縁２２に挿入して、側端縁２２を水平に突出した載置部２３と押圧部材２４で弾性的に挟持することにより、光ピックアップ２の水平状態が保持される。
【００３４】
図３に示すように、ラック１１は例えばポリアセタール樹脂やポリアミド樹脂などの低摩擦係数と良好な弾性と耐磨耗性を有する合成樹脂の成形体からなり、ラック１１に一方の側端部にラック１１の移動（長手）方向に沿って多数のラック歯１７が形成され、このラック歯１７と反対側の端部に所定の間隔をおいて円筒状の軸受け部１２ａ、１２ｂが設けられている。
【００３５】
その軸受け部１２ａと軸受け部１２ｂの間に、側面形状がＬ字形のピック押さえ部材１３が立設されている。さらに先端部に円弧状部１８を有する比較的薄い弾性腕１４がラック１１と一体に設けられ、弾性腕１４の外側に平面形状がコ字形のフレーム１５が一体に成形され、弾性腕１４が剛性のあるフレーム１５で囲まれている。
【００３６】
図１に示すように第１案内部材７を光ピックアップ２の軸受け部１０ａ，１０ｂならびにラック１１の軸受け部１２ａ，１２ｂに挿通することにより、光ピックアップ２とラック１１は第１案内部材７に支持される。このとき光ピックアップ２の軸受け部１０ａ，１０ｂはラック１１の一方の軸受け部１２ａと前記ピック押さえ部材１３の間で挟まれた形になり、光ピックアップ２とラック１１の取り付け時の隙間を無くして、一体に動作するように取り付けられている。
【００３７】
図４に示すようにラック１１に形成された弾性腕１４の一部（円弧状部１８）が光ピックアップ２と弾接し、ラック歯１７はギア１６と噛合しており、図２に示すようにラック１１は送りモータ８からギア１６を介して駆動される。
【００３８】
前記弾性腕１４の一部（円弧状部１８）が光ピックアップ２に弾接することにより、その反力で第１案内部材７を中心にしてラック１１に矢印Ｆ方向の回動力が作用して、そのためにギア１６とラック歯１７の間隔を狭めてバックラッシを無くすことができる。
【００３９】
弾性腕１４を肉厚のフレーム１５で囲むことにより、弾性腕１４の変形範囲を、フレーム１５が光ピックアップ２と接触するまでの隙間Ｌ（例えば１ｍｍ以下）に規定している。光ディスク装置に何らかの衝撃力が加わった場合、弾性腕１４の特に付け根部に過大な応力が掛り、そのために弾性腕１４が塑性変形したり折れたりする心配があるが、弾性腕１４をフレーム１５で囲んでおけば、このよう心配が解消される。また装置の組立て前にフレーム１５を部品の状態で輸送したり取り扱ったりする際にも、フレーム１５により弾性腕１４に過大な力が加わることを防ぐことができる。
【００４０】
弾性腕１４の先端部に円弧状部１８あるいは球状部（図示せず）を設けておくことにより、光ピックアップ２と接触する力点を１個所とすることができ、そのためにラック１１に対して一定の回動力Ｆを発生することができる。
【００４１】
【発明の効果】
請求項１記載の第１の手段においては、シャーシの側端縁を案内部材として利用しているから、従来のように板状の案内部材、ならびにその案内部材をシャーシに取り付けるための複数のネジなどが不要となるから、シャーシ上での板状案内部材の設置スペース、ならびに板状案内部材が開口側に突出する突出スペースなどが不要となり、従ってシャーシの幅Ｌ２を従来より狭くすることができ、シャーシ（光ディスク装置）の幅狭化（小型化）が可能となる。
【００４２】
また、シャーシの側端縁は略Ｕ字状軸受け部の載置部と弾性片の間で弾性的に挟持されているから、光ピックアップを高速移動させてもがたつきなく、かつ水平に移動させることができる。さらに板状案内部材ならびに複数のネジなどが不要となるから、部品点数の削減、工数の低減、コストの低減を図ることができる。
【００４３】
請求項２記載の第２の手段においては、案内部材となるシャーシの側端縁近傍に補強リブを設けることにより、シャーシの側端縁が曲がるようなことがなく、そのために光ピックアップの水平移動がスムーズに行なわれ、高い信頼性が得られる。
【００４４】
請求項３記載の第３の手段においては、弾性片の先端部に丸みが付けられているから、シャーシ側端縁との摩擦抵抗が少なく、光ピックアップの移動がスムーズに行なわれる。
【００４５】
請求項４記載の第４の手段においては、光ピックアップを移動させるラックに弾性腕を一体に形成し、その弾性腕で光ピックアップを押すことにより、その反力でラックにギア側へ付勢する回動力を発生させる。このことによりラックとギアのバックラッシを別部材のバネを用いずに無くすことができ、装置の薄形化、部品点数の削減、工数の低減、コストの低減を図ることができる。
【００４６】
なお、一方の案内部材であるシャーシの側端縁は光ピックアップの略Ｕ字状軸受け部の載置部と弾性片の間で弾性的に挟持され、他方のシャフト状案内部材が光ピックアップの円筒状軸受け部に挿通されているから、光ピックアップの水平状態が確実に保持される。そのため、その光ピックアップに弾接しているラックとギアのバックラッシを無くす効果が確実に得られる。
【００４７】
請求項５記載の第５の手段においては、弾性腕をフレームで囲むことにより、弾性腕の変形範囲を規定することができる。そのために外力により弾性腕が塑性変形したり折れたりすることがなく、弾性腕の機能が十分に発揮できるなどの特長を有している。
【図面の簡単な説明】
【図１】本発明の一実施形態に係る光ディスク装置の斜視図である。
【図２】その光ディスク装置を裏面より見た光ピックアップの送り機構の斜視図である。
【図３】その送り機構に用いるラックの拡大斜視図である。
【図４】その光ディスク装置における光ピックアップとラックとギアの組み合わせ状態を示す側面図である。
【図５】その光ディスク装置の平面図である。
【図６】光ピックアップに設けられた略Ｕ字状軸受け部を示す一部拡大側面図である。
【図７】その略Ｕ字状軸受け部に用いる押圧部材の拡大斜視図である。
【図８】従来の光ディスク装置の平面図である。
【符号の説明】
１　円盤状記録媒体（ディスク）
２　光ピックアップ
４　スピンドルモータ
５　ターンテーブル
７　第１案内部材
１０ａ，１０ｂ　円筒状軸受け部
１０ｃ　略Ｕ字状軸受け部
１１　ラック
１２ａ，１２ｂ　　軸受け部
１４　弾性腕
１５　フレーム
１６　ギア
１８　円弧状部
２１　開口
２２　側端縁
２３　載置部
２４　押圧部材
２５　ネジ孔
２６　位置決め孔
２７　取付け部
２８　弾性片
２９　水平部
３０　補強リブ
Ｌ２　シャーシの幅
Ｆ　回動力
Ｌ　隙間
【図１】
2004022054.tif 000003
【図２】
2004022054.tif 000004
【図３】
2004022054.tif 000005
【図４】
2004022054.tif 000006
【図５】
2004022054.tif 000007
【図６】
2004022054.tif 000008
【図７】
2004022054.tif 000009
【図８】
2004022054.tif 000010